(57)【特許請求の範囲】
【請求項１】
鉄骨建築物等の建設工事で親綱を張るために使用され、下部の掴み部で鉄骨等に固定して立設される親綱支柱を、屋根面に設置するための屋根面取付治具であって、
第１のアングル材と、該第１のアングル材の一方の端部に第１のアングル材と交差するように取り付けられた第２のアングル材と、前記第１のアングル材の他方の端部に第１のアングル材と交差するように取り付けられた第３のアングル材と、前記第２のアングル材に固定された親綱支柱取付部とを備え、
前記親綱支柱の下部の掴み部を前記親綱支柱取付部にクランプすることで前記親綱支柱を固定することを可能とした、ビスによって屋根面に固定されることを特徴とする親綱支柱の屋根面取付治具。
【請求項２】
前記第３のアングル材は、第１のアングル材の長手方向にスライドできるようになっていることを特徴とする請求項１に記載の親綱支柱の屋根面取付治具。
【発明の詳細な説明】
【技術分野】
【０００１】
本発明は、建設業の仮設材に関するものであり、特に親綱支柱を屋根面に取り付けるための取付治具に関するものである。
【背景技術】
【０００２】
鉄骨建築物等の建設工事においては、安全用の仮設手摺として親綱を張る際に親綱支柱を使用する。
【０００３】
図４に示すように、親綱支柱１０は、上部に設けられている連結環１１に親綱３のフック４が掛かるようになっているとともに、下部に設けられている掴み部１２がボルト１３等によって鉄骨９等に固定されて立設される構造になっている（例えば、特許文献１参照）。
【先行技術文献】
【特許文献】
【０００４】
【特許文献１】特開２００９−１２１０７２号公報
【発明の概要】
【発明が解決しようとする課題】
【０００５】
屋根面での手摺の設置においては、屋根の形状にもよるが、一般的に使用できる仮設材が少ない。Ａ型バリケードを設置するとしても、その固定度に課題が残る。
【０００６】
本発明は、上記のような事情に鑑みてなされたものであり、一般的な屋根での仮設手摺の設置に際しても、鉄骨建築物等の建設工事で仮設手摺の設置の際に使用されている親綱支柱を適用可能にする屋根面取付治具を提供することを目的とするものである。
【課題を解決するための手段】
【０００７】
前記課題を解決するために、本発明は以下の特徴を有する。
【０００８】
［１］鉄骨建築物等の建設工事で親綱を張るために使用され、下部の掴み部で鉄骨等に固定して立設される親綱支柱を、屋根面に設置するための屋根面取付治具であって、
第１のアングル材と、該第１のアングル材の一方の端部に第１のアングル材と交差するように取り付けられた第２のアングル材と、前記第１のアングル材の他方の端部に第１のアングル材と交差するように取り付けられた第３のアングル材と、前記第２のアングル材に取り付けられて、前記親綱支柱の下部の掴み部がクランプされて前記親綱支柱が固定される親綱支柱取付部とを備え、ビスによって屋根面に固定されることを特徴とする親綱支柱の屋根面取付治具。
【０００９】
［２］前記第３のアングル材は、第１のアングル材の長手方向にスライドできるようになっていることを特徴とする前記［１］に記載の親綱支柱の屋根面取付治具。
【発明の効果】
【００１０】
本発明の親綱支柱の屋根面取付治具によって、一般的な屋根での仮設手摺の設置に際しても、鉄骨建築物等の建設工事で仮設手摺の設置の際に使用されている親綱支柱を使用することが可能になった。
【図面の簡単な説明】
【００１１】
【図１】本発明の一実施形態における親綱支柱の屋根面取付治具を示す図である。
【図２】本発明の一実施形態における親綱支柱の屋根面取付治具を屋根面に設置した状態を示す図である。
【図３】本発明の一実施形態における親綱支柱の屋根面取付治具を使用して仮設手摺を設置した状態を示す図である。
【図４】鉄骨建築物等の建設工事の際に使用される親綱支柱を示す図である。
【発明を実施するための形態】
【００１２】
本発明の一実施形態における親綱支柱の屋根面取付治具を図面に基づいて説明する。
【００１３】
本発明の一実施形態における親綱支柱の屋根面取付治具は、前述の図４に示したような、鉄骨建築物等の建設工事で親綱３を張るために使用されている親綱支柱１０を屋根面に設置するために使用するものである。
【００１４】
図１は、この実施形態における親綱支柱の屋根面取付治具を示すものであり、図１（ａ）は平面図、図１（ｂ）は側面図、図１（ｃ）は親綱支柱１０を取り付けた状態を示す側面図である。
【００１５】
図１に示すように、この実施形態における親綱支柱の屋根面取付治具２０は、第１のアングル材２１の一方の端部に、第２のアングル材２２が第１のアングル材２１と直交するように溶接で固定され、第１のアングル材２１の他方の端部に、第３のアングル材２３が第１のアングル材２１と直交するように、スライドホール２７に取り付けられたフラットバー２８に溶接で固定されている。そして、第２のアングル材２２に親綱支柱取付部（溝形鋼）２４が溶接で固定されている。また、第２のアングル材２２と第３のアングル材２３には、この屋根面取付治具２０を屋根面（屋根材の下地である母屋）にビスで固定するためのビスホール２５が設けられている。
【００１６】
一方、前述したように、親綱支柱１０は、上部に連結環１１を備えているともに、下部に掴み部１２とボルト１３を備えている。
【００１７】
これによって、この親綱支柱の屋根面取付治具２０においては、図１（ｃ）に側面図、図２に斜視図を示すように、この屋根面取付治具２０をビスホール２５とビス２６によって屋根面１（屋根材の下地である母屋）に固定するとともに、親綱支柱１０の下部の掴み部１２を親綱支柱取付部（溝形鋼）２４に嵌合させ、ボルト１３でクランプすることによって、親綱支柱１０を屋根面取付治具２０に固定することができる。
【００１８】
なお、第３のアングル材２３が第１のアングル材２１の長手方向にスライドできるように、第１のアングル材２１には前述のようにスライドホール２７が設けられている。これは、屋根上母屋材は標準的には９００ｍｍピッチであるが、個々の場所でそのピッチに誤差が生じている可能性があるので、その誤差をスライドホール２７によって対応できるようにしたものである。
【００１９】
また、ビスホール２５を長穴状にして、必要な固定強度に応じて、ビス２６を増し打ちできるようにしている。
【００２０】
そして、図３は、このような屋根面取付治具２０を用いて屋根面１に複数の親綱支柱１０を立設し、それらの親綱支柱１０間に親綱３を張ることで、仮設手摺２を設置した状態を示している。
【００２１】
このようにして、この実施形態においては、鉄骨建築物等の建設工事で使用されている親綱支柱１０を屋根面１に対して容易でかつ強固に設置することができる。
【符号の説明】
【００２２】
１  屋根
２  仮設手摺
３  親綱
４  フック
９  鉄骨
１０  親綱支柱
１１  連結環
１２  掴み部
１３  ボルト
２０  親綱支柱の屋根面取付治具
２１  第１のアングル材
２２  第２のアングル材
２３  第３のアングル材
２４  親綱支柱取付部（溝形鋼）
２５  ビスホール
２６  ビス
２７  スライドホール
２８  フラットバー
【図１】
0005617665.tif 000002
【図２】
0005617665.tif 000003
【図３】
0005617665.tif 000004
【図４】
0005617665.tif 000005